(57)【要約】【課題】見た目が良くて実用的である上、高い機能性を有する改良式スイッチを提供する。【解決手段】改良式スイッチは、パネルユニット１、少なくとも１つのスイッチ２、発光ユニット３及び少なくとも１つの押圧部４を備える。パネルユニット１は、固定座１１と、固定座１１の一面上に設けられたパターン部１２と、固定座１１の一面上に着脱自在に結合された透明カバー１３とを有する。スイッチ２は、パネルユニット１と結合され、切換スイッチ２２を一面に有する。発光ユニット３は、パネルユニット１の固定座１１に配置され、かつスイッチ２と電気的に接続される。押圧部４は、固定座１１及び切換スイッチ２２と着脱自在に結合された押圧板４１と、押圧板４１と着脱自在に結合された透明カバー４３とを有するとともに、パネルユニット１と着脱自在に結合されている。【選択図】図１
0003174364.tif 000002
【実用新案登録請求の範囲】
【請求項１】
パネルユニット、少なくとも１つのスイッチ、発光ユニット及び少なくとも１つの押圧部を備えた改良式スイッチであって、
前記パネルユニットは、固定座と、前記固定座の一面上に設けられたパターン部と、前記固定座の一面上に着脱自在に結合された透明カバーと、を有し、
前記スイッチは、前記パネルユニットと結合され、切換スイッチを一面に有し、
前記発光ユニットは、前記パネルユニットの前記固定座に配置され、かつ前記スイッチと電気的に接続され、
前記押圧部は、前記固定座及び前記切換スイッチと着脱自在に結合された押圧板と、前記押圧板と着脱自在に結合された透明カバーと、を有するとともに、前記パネルユニットと着脱自在に結合されていることを特徴とする改良式スイッチ。
【請求項２】
前記パネルユニットの前記固定座、前記パターン部及び前記透明カバーには、前記スイッチ及び前記押圧部を収納する中空部がそれぞれ設けられ、
前記固定座の端部には、前記発光ユニットを露出させる長孔が設けられ、
前記パネルユニットの前記パターン部は、パターンが印刷されたフィルム、紙材又はステッカーであり、
前記スイッチは、フレームにより前記固定座に結合され、
前記発光ユニットは、前記長孔に対応する発光体と、前記発光体及び前記スイッチに接続されるとともに前記固定座中に配置される変圧器と、前記変圧器に接続されるとともに前記透明カバーの側部に位置するセンサと、を含み、
前記押圧板と前記透明カバーとの間には、文字が印刷されたフィルム、紙材又はステッカーである標示部が配置されることを特徴とする請求項１に記載の改良式スイッチ。
【請求項３】
パネルユニット、少なくとも１つのスイッチ及び少なくとも１つの押圧部を備えた改良式スイッチであって、
前記パネルユニットは、固定座と、前記固定座の一面上に設けられたパターン部と、前記固定座の一面上に着脱自在に結合された透明カバーと、を有し、
前記スイッチは、前記パネルユニットと結合され、切換スイッチを一面に有し、
前記押圧部は、前記固定座及びフレームと着脱自在に結合された押圧板と、前記押圧板と着脱自在に結合された透明カバーと、を有するとともに、前記パネルユニットと着脱自在に結合されていることを特徴とする改良式スイッチ。
【請求項４】
前記パネルユニットの前記固定座、前記パターン部及び前記透明カバーには、前記スイッチ及び前記押圧部を収納する中空部がそれぞれ設けられ、
前記パネルユニットの前記パターン部は、パターンが印刷されたフィルム、紙材又はステッカーであり、
前記スイッチは、前記フレームにより前記固定座に結合され、
前記押圧板と前記透明カバーとの間には、文字が印刷されたフィルム、紙材又はステッカーである標示部が配置されることを特徴とする請求項３に記載の改良式スイッチ。
【考案の詳細な説明】
【技術分野】
【０００１】
本考案は、改良式スイッチに関し、特に、パネルユニットのパターン部及び押圧部の標示部を利用することにより、見た目を良くしてスイッチ制御位置を示すとともに、スイッチに発光ユニットを組み合わせて光源として使用し、見た目が良くて実用的である上、高い機能性を有する改良式スイッチに関する。
【背景技術】
【０００２】
従来のスイッチは、使用の利便性を高めるために、スイッチに設けた発光体を暗い環境下で発光させるため、ユーザはスイッチを容易に見つけてオンすることができる。
【０００３】
しかし発光体から発せされる光は、照明用として使用するには十分でないため、スイッチの位置を認識するためにしか用いることができず、照明用として用いることができない。そのため、夜間に照明が必要な場合、常夜灯などが他に必要である。また、一般にスイッチは、表面が平滑な弧面状に形成され、その上にスイッチ制御の種類が表示されていないため、スイッチパネル上に多数のスイッチが配置されている場合、ユーザが混乱してどのスイッチを押せば良いのか分からないため１つずつ押して確かめる必要があり実用的でない。一般のスイッチパネルは、プラスチック材料からなり、その他の修飾物を有さないため見た目が好ましくなく、室内の内装及び設計と組み合わせることができない。
【考案の概要】
【考案が解決しようとする課題】
【０００４】
そのため、見た目が良くて実用的である上、高い機能性を有する改良式スイッチが求められていた。
【０００５】
本考案の目的は、パネルユニットのパターン部及び押圧部の標示部を利用することにより、見た目を良くしてスイッチ制御位置を示すとともに、スイッチに発光ユニットを組み合わせることにより光源として使用し、見た目が良くて実用的である上、高い機能性を有する改良式スイッチを提供することにある。
【課題を解決するための手段】
【０００６】
上記課題を解決するために、本考案の第１の形態によれば、パネルユニット、少なくとも１つのスイッチ、発光ユニット及び少なくとも１つの押圧部を備えた改良式スイッチであって、前記パネルユニットは、固定座と、前記固定座の一面上に設けられたパターン部と、前記固定座の一面上に着脱自在に結合された透明カバーと、を有し、前記スイッチは、前記パネルユニットと結合され、切換スイッチを一面に有し、前記発光ユニットは、前記パネルユニットの前記固定座に配置され、かつ前記スイッチと電気的に接続され、前記押圧部は、前記固定座及び前記切換スイッチと着脱自在に結合された押圧板と、前記押圧板と着脱自在に結合された透明カバーと、を有するとともに、前記パネルユニットと着脱自在に結合されていることを特徴とする改良式スイッチが提供される。
【０００７】
また、前記パネルユニットの前記固定座、前記パターン部及び前記透明カバーには、前記スイッチ及び前記押圧部を収納する中空部がそれぞれ設けられ、前記固定座の端部には、前記発光ユニットを露出させる長孔が設けられ、前記パネルユニットの前記パターン部は、パターンが印刷されたフィルム、紙材又はステッカーであり、前記スイッチは、フレームにより前記固定座に結合され、前記発光ユニットは、前記長孔に対応する発光体と、前記発光体及び前記スイッチに接続されるとともに前記固定座中に配置される変圧器と、前記変圧器に接続されるとともに前記透明カバーの側部に位置するセンサと、を含み、前記押圧板と前記透明カバーとの間には、文字が印刷されたフィルム、紙材又はステッカーである標示部が配置されることが好ましい。
【０００８】
上記課題を解決するために、本考案の第２の形態によれば、パネルユニット、少なくとも１つのスイッチ及び少なくとも１つの押圧部を備えた改良式スイッチであって、前記パネルユニットは、固定座と、前記固定座の一面上に設けられたパターン部と、前記固定座の一面上に着脱自在に結合された透明カバーと、を有し、前記スイッチは、前記パネルユニットと結合され、切換スイッチを一面に有し、前記押圧部は、前記固定座及びフレームと着脱自在に結合された押圧板と、前記押圧板と着脱自在に結合された透明カバーと、を有するとともに、前記パネルユニットと着脱自在に結合されていることを特徴とする改良式スイッチが提供される。
【０００９】
また、前記パネルユニットの前記固定座、前記パターン部及び前記透明カバーには、前記スイッチ及び前記押圧部を収納する中空部がそれぞれ設けられ、前記パネルユニットの前記パターン部は、パターンが印刷されたフィルム、紙材又はステッカーであり、前記スイッチは、前記フレームにより前記固定座に結合され、前記押圧板と前記透明カバーとの間には、文字が印刷されたフィルム、紙材又はステッカーである標示部が配置されることが好ましい。
【考案の効果】
【００１０】
本考案の改良式スイッチによれば、パネルユニットのパターン部及び押圧部の標示部を利用することにより、見た目を良くしてスイッチ制御位置を示すとともに、スイッチに発光ユニットを組み合わせることにより光源として使用し、見た目が良くて実用的である上、高い機能性を有することができる。
【図面の簡単な説明】
【００１１】
【図１】本考案の第１実施形態による改良式スイッチを示す分解斜視図である。
【図２】本考案の第１実施形態による改良式スイッチを示す斜視図である。
【図３】図２のＡ−Ａ線に沿った断面図である。
【図４】本考案の第２実施形態による改良式スイッチを示す分解斜視図である。
【図５】本考案の第２実施形態による改良式スイッチを示す斜視図である。
【図６】本考案の第３実施形態による改良式スイッチを示す分解斜視図である。
【図７】本考案の第３実施形態による改良式スイッチを示す斜視図である。
【図８】図７のＢ−Ｂ線に沿った断面図である。
【図９】本考案の第４実施形態による改良式スイッチを示す分解斜視図である。
【図１０】本考案の第４実施形態による改良式スイッチを示す斜視図である。
【考案を実施するための形態】
【００１２】
以下、本考案の実施形態について図に基づいて説明する。なお、これによって本考案が限定されるものではない。
【００１３】
（第１実施形態）
図１〜図３を参照する。図１〜図３に示すように、本考案の第１実施形態による改良式スイッチは、少なくともパネルユニット１、少なくとも１つのスイッチ２、発光ユニット３及び少なくとも１つの押圧部４から構成される。
【００１４】
上述のパネルユニット１は、固定座１１と、固定座１１の一面上に設けられたパターン部１２と、固定座１１の一面上に着脱自在に結合された透明カバー１３と、を含む。固定座１１、パターン部１２及び透明カバー１３には、中空部１１１，１２１，１３１がそれぞれ形成されている。固定座１１の端部には長孔１１２が形成されている。パターン部１２は、パターンが印刷されたフィルム、紙材又はステッカーでもよい。
【００１５】
スイッチ２は、フレーム２１と、パネルユニット１の固定座１１と接続され、各中空部１１１，１２１，１３１に対応した箇所に設けられた切換スイッチ２２を一面に有する。
【００１６】
発光ユニット３は、パネルユニット１の固定座１１に設けられ、かつスイッチ２と電気的に接続されている。発光ユニット３は、長孔１１２に対応した発光体３１と、発光体３１及びスイッチ２に接続されるとともに固定座１１中に配置される変圧器３２と、変圧器３２に接続されるとともに透明カバー１３の側部に設けられたセンサ３３と、を含む。
【００１７】
押圧部４の一面には、パネルユニット１と着脱自在に結合された透明カバー１３が設けられている。押圧部４は、固定座１１及びフレーム２１と着脱自在に結合された押圧板４１と、押圧板４１上に設けられた標示部４２と、押圧板４１と着脱自在に結合された透明カバー４３と、を含む。標示部４２は、文字が印刷されたフィルム、紙材又はステッカーでもよい。
【００１８】
第１実施形態の改良式スイッチを実際に応用する際には、スイッチ２が商用電源（図示せず）と電気的に接続され、押圧部４によりスイッチ２の切換スイッチ２２を押圧して制御スイッチとして使用され、かつ発光ユニット３の変圧器３２により、商用電源の交流電流が直流電流に変換されて、発光体３１及びセンサ３３へ供給される。実際に使用する際には、パネルユニット１のパターン部１２及び押圧部４の標示部４２を利用し、それぞれ見た目を向上させる上、スイッチ２の制御位置が示される（例えば、標示部４２により会議室、書斎、客間、浴室などの制御位置が表される）。透明カバー１３，４３は、固定座１１及び押圧板４１から外されるとパターン部１２及び標示部４２を交換することができるとともに、透明カバー１３，４３を透過させることで、スイッチ２に組み合わせた発光ユニット３を光源として使用することもできる。実際に操作する際は、スイッチ２がオン状態のときは、センサ３３により制御して発光体３１を発光させない。スイッチ２がオフ状態のときは、センサ３３により発光体３１を発光させて常夜灯として使用する。室内が暗い場合、センサ３３が作動され、ユーザが近づいたことをセンサ３３が感知すると発光体３１が発光し、ユーザが押圧部４を用いてスイッチ２を操作する。室内が明るい場合、ユーザは直接スイッチ２を操作するが、この際、センサ３３は作動しない。この構成により押圧部４を利用してスイッチ２を操作することができるため、第１実施形態の改良式スイッチは、見た目が良くて実用的であり機能性が高い。
【００１９】
（第２実施形態）
図４及び図５を参照する。図４及び図５に示すように、本考案の第２実施形態による改良式スイッチは、第１実施形態と異なり、発光ユニット３及び固定座１１の端部には、長孔１１２が形成されておらず、使用する際にパネルユニット１のパターン部１２及び押圧部４の標示部４２をそれぞれ使用することにより見た目を良くするとともにスイッチ２の制御位置が表される（例えば、標示部４２により会議室、書斎、客間、浴室などの制御位置が表される）。固定座１１及び押圧板４１上の透明カバー１３，４３を開いてパターン部１２及び標示部４２を交換することができる。
【００２０】
（第３実施形態）
図６〜図８を参照する。図６〜図８に示すように、本考案の第３実施形態による改良式スイッチは、第１実施形態及び第２実施形態と異なり、２つのスイッチ２ａ，２ｂを有する。スイッチ２ａ，２ｂは、パネルユニット１の固定座１１と結合され、発光ユニット３の変圧器３２と接続されるとともに、各スイッチ２ａ，２ｂの一面が押圧部４ａの押圧板４１ａと、押圧部４ｂの押圧板４１ｂとにそれぞれ接続される。
【００２１】
実際に使用する際には、固定座１１及び押圧板４１ａ，４１ｂ上の透明カバー１３，４３ａ，４３ｂを開いてパターン部１２及び標示部４２ａ，４２ｂを交換し、発光体３１、変圧器３２及びセンサ３３を組み合わせて所望の光源を得て（例えば、第１実施形態で述べた態様）、これにより見た目が良くて実用的であり、高い使用機能を得る。
【００２２】
（第４実施形態）
図９及び図１０を参照する。図９及び図１０に示すように、本考案の第４実施形態による改良式スイッチは、第１実施形態〜第３実施形態と異なり、長孔１１２が発光ユニット３及び固定座１１の端部に形成されておらず、２つのスイッチ２ａ，２ｂが設けられている。実際に使用する際には、パネルユニット１のパターン部１２及び押圧部４ａ，４ｂの標示部４２ａ，４２ｂをそれぞれ使用することにより見た目を良くしてスイッチ２ａ，２ｂの制御位置を表す（例えば、標示部４２ａ，４２ｂにより会議室、書斎、客間、浴室などの制御位置を表す）。そして、固定座１１及び押圧板４１ａ，４１ｂ上の透明カバー１３，４３ａ，４３ｂを開くとパターン部１２及び標示部４２ａ，４２ｂを交換することができる。
【００２３】
上述したことから分かるように、本考案の改良式スイッチは、パネルユニットのパターン部及び押圧部の標示部を利用することにより、見た目を良くしてスイッチ制御位置を示すとともに、スイッチと発光ユニットを組み合わせて光源として使用することができる。そのため、見た目が良くて実用的である上、高い機能性を得ることができる。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１  パネルユニット、２，２ａ，２ｂ  スイッチ、３  発光ユニット、４，４ａ，４ｂ  押圧部、１１  固定座、１２  パターン部、１３  透明カバー、２１  フレーム、２２  切換スイッチ、３１  発光体、３２  変圧器、３３  センサ、４１，４１ａ，４１ｂ  押圧板、４２，４２ａ，４２ｂ  標示部、４３，４３ａ，４３ｂ  透明カバー、１１１，１２１，１３１  中空部、１１２  長孔。
【図１】
0003174364.tif 000003
【図２】
0003174364.tif 000004
【図３】
0003174364.tif 000005
【図４】
0003174364.tif 000006
【図５】
0003174364.tif 000007
【図６】
0003174364.tif 000008
【図７】
0003174364.tif 000009
【図８】
0003174364.tif 000010
【図９】
0003174364.tif 000011
【図１０】
0003174364.tif 000012